(57)【要約】      （修正有）【課題】身障者や老人などが独りで、即ち介護者など他人の手を借りずに自分で前開きズボンの着用を可能にすることが出来るズボン用繋ぎ止め部材およびズボンを提供する。【解決手段】巾寸法を凡そ２ｃｍ〜３ｃｍ、長さ寸法を凡そ１２ｃｍ〜１８ｃｍとなした帯状の袋体を作成し、該袋体底面部にはホットメルト剤を塗布したものとなし、一方上記袋体内の片側には一定長のゴムテープを固着させ、且つ該ゴムテープの他端は袋体の他端箇所に穿設したスリットから上面側へ抜出して釦や松葉糸などを取付け、他方上記ゴムテープを介し釦が袋体の長さ方向へ少なくとも１０ｃｍ〜１５ｃｍ程度の引き延ばし可能な構成となしてあることを特徴としたズボン用繋ぎ止め部材及び該繋ぎ止め部材を取付けたズボン。【選択図】図３
0003109176.tif 000002
【実用新案登録請求の範囲】
【請求項１】
巾寸法を凡そ２ｃｍ〜３ｃｍ、長さ寸法を凡そ１２ｃｍ〜１８ｃｍとなした帯状の袋体を作成し、該袋体底面部にはホットメルト剤を塗布したものとなし、一方上記袋体内の片側には一定長のゴムテープを固着させ、且つ該ゴムテープの他端は袋体の他端箇所に穿設したスリットから上面側へ抜出して釦や松葉糸などを取付け、他方上記ゴムテープを介し釦が袋体の長さ方向へ少なくとも１０ｃｍ〜１５ｃｍ程度の引き延ばし可能な構成となしてあることを特徴としたズボン用繋ぎ止め部材。
【請求項２】
上記ズボン用繋ぎ止め部材を左前身頃の裏帯布地に対し、その釦や松葉糸などが右前身頃側の釦掛け布片に向かう如くなして加熱圧着固定させ、ズボン着用にさいし上記繋ぎ止め部材の釦を一定長さ引き出さしめて釦掛け布片と係合止着させ、左右前身頃の双方が垂れ下がりしないよう繋ぎ止めてなる構成を特徴としたズボン。
【考案の詳細な説明】
【技術分野】
【０００１】
本考案は前開きズボン用繋ぎ止め部材及びその繋ぎ止め部材を取付けたズボンに関する。
【背景技術】
【０００２】
男性用の前開きズボンでチャックの開放された状態では、左前身頃地と右前身頃地では互いに垂れ下がり状態になされる。ところで、片手の不自由な身障者や老人などが独りで上記ズボンを着用せんとするさい、専らチャックを引き下げて開放された左右前身頃地の開放状態で行うのであり、従ってこの状態で足通し後の左右前身頃地の引き上げは極めて困難であって、事実上独りでの着用は不可能であり、専ら介護者の手を借りる必要があった。
【特許文献１】特開２００２−０８８５３７
【考案の開示】
【考案が解決しようとする課題】
【０００３】
本考案は身障者や老人などが独りで、即ち介護者など他人の手を借りずに自分で前開きズボンの着用を可能にせんとする提案である。
【課題を解決するための手段】
【０００４】
本考案の１つは、巾寸法を凡そ２ｃｍ〜３ｃｍ、長さ寸法を凡そ１２ｃｍ〜１８ｃｍとなした帯状の袋体を作成し、該袋体底面部にはホットメルト剤を塗布したものとなし、一方上記袋体内の片側には一定長のゴムテープを固着させ、且つ該ゴムテープの他端は袋体の他端箇所に穿設したスリットから上面側へ抜出して釦や松葉糸などを取付け、他方上記ゴムテープを介し該釦や松葉糸などが袋体の長さ方向へ少なくとも１０ｃｍ〜１５ｃｍ程度の引き延ばし可能の構成としたズボン用繋ぎ止め部材であり、他の１つは該ズボン用繋ぎ止め部材を左前身頃の裏帯布地に対し、その釦が右前身頃側の釦掛け布片に向かう如くなして加熱圧着固定させ、ズボン着用にさいし上記繋ぎ止め部材の釦や松葉糸などを一定長さ引き出さしめて釦掛け布片と係合止着させ、左右前身頃の双方が垂れ下がりしないよう繋ぎ止めてなる構成を特徴としたズボン製品の提供である。
【考案の効果】
【０００５】
本考案に係る繋ぎ止め部材は既製ズボンの左前身頃地の内面部に於ける裏帯布地に対し、アイロンを使用しながらその釦が右前身頃地側の釦掛け布片に向かう如く加熱圧着固定させるのであり、その佩用にさいしては上記繋ぎ止め部材の釦を右前身頃の釦掛け布片と係合状態とすることによりチャックの開放状態下で左右前身頃の前開き状態が防止され、具体的には左前身頃地の上記繋ぎ止め部材上面のスリットから釦や松葉糸などをゴムテープの弾性で引き出し、右前身頃地の繋ぎ止め部材と係止させることにより、左右前身頃地を一定長さの引き延ばし可能な胴廻りの形成されるものとなすのであり、従って足通し後のズボン胴回りの引き上げにさいしては、片手で左右身頃地の何れか片方を持ち上げるようにするだけで、他側身頃地も共に引き上げられて独りでの佩用を可能にすることができる。
【考案を実施するための最良の形態】
【０００６】
図１は本考案に係るズボン用繋ぎ止め部材１の斜視図、図２は図１のＸ−Ｘ線断面図である。上記図面で見られる通り本考案のズボン用繋ぎ止め部材１は巾寸法ｓを凡そ２ｃｍ〜３ｃｍ、長さ寸法Lを凡そ１２ｃｍ〜１８ｃｍとなした帯状の袋体を作成するのであり、布地としては各種の織物地やスエードなどを使用し、且つ該袋体１の裏面側にはホットメルト剤２を塗布したものとなし、その製品状態では外面に対し離形紙３を貼着させたものとなしてある。
【０００７】
一方、帯状の袋体１となしたその内面には片端側にゴムテープ４を固着させたものとなし、且つ該ゴムテープ４の他端は袋体１の他端箇所に穿設したスリット５から上面側へ抜出させ釦６を取付けたものとなしてあり、これにより該釦６はその袋体の長さ方向へゴムテープの弾性で１０ｃｍ〜１５ｃｍ程度の引き延ばし可能の構成となされる。
図３は上記の説明図であって、Ａは繋ぎ止め部材を左前身頃地の裏帯布地ｍに取付けた状態図、同Ｂは繋ぎ止め部材の釦を引き延ばし、該釦６を釦掛け布片７のボタンホールｎに係着させた状態を示すものである。
【０００８】
図４は他の例を示すものであって、即ち上記実施例では繋ぎ止め部材側のゴムテープ４に対し、釦６を取付けたものを示したが、図５は松葉糸６’を取付けた例を示す。而して、これを係止する右前身頃側は図示を省略したが、前側のボタンホールｎではなくて釦を取付け、松葉糸６’と当該釦が係合するものとなすのである。
【０００９】
本考案は以上の通り構成するものであって、外出着としてのズボンをゴム入りトレパン同様の弾性を備えた輪状体の構成となすのであり、従って老人や片手の不自由な人であっても、該ズボンの独りでの着用が他人を煩わすことなく可能にすることができる。又、排尿や排便などの諸動作にも上記の構成は簡便に対応することができる上で著効がある。
【図面の簡単な説明】
【００１０】
【図１】本考案に係るズボン用繋ぎ止め部材の斜視図である。
【図２】上記のＸ−Ｘ線断面図である。
【図３】Ａ，Ｂは上記繋ぎ止め部材の使用状態に於けるズボン内面図である。
【図４】繋ぎ止め部材の他の例を示すものである。
【符号の説明】
【００１１】
１      繋ぎ止め部材
２      ホットメルト剤
３      離形紙
４      ゴムテープ
５      スリット
６      釦
６’    松葉糸
７      釦掛け布片
【図１】
0003109176.tif 000003
【図２】
0003109176.tif 000004
【図３】
0003109176.tif 000005
【図４】
0003109176.tif 000006
【手続補正書】
【提出日】平成16年12月24日(2004.12.24)
【手続補正１】
【補正対象書類名】実用新案登録請求の範囲
【補正対象項目名】請求項２
【補正方法】変更
【補正の内容】
【請求項２】
請求項１記載のズボン用繋ぎ止め部材を左前身頃の裏帯布地に対し、その釦や松葉糸などが右前身頃側の釦掛け布片に向かう如くなして加熱圧着固定させ、ズボン着用にさいし上記繋ぎ止め部材の釦を一定長さ引き出さしめて釦掛け布片と係合止着させ、左右前身頃の双方が垂れ下がりしないよう繋ぎ止めてなる構成を特徴としたズボン。